(57)【特許請求の範囲】
【請求項１】
第１の接続対象物を挿入して収容する第１の収容部及び第２の接続対象物を挿入して収容する第２の収容部とを上下二段に形成した絶縁性のハウジングと、前記第１の接続対象物の電気接点に接触させるよう該ハウジングに保持した導電性の第１のコンタクトと、前記第２の接続対象物の電気接点に接触させるよう該第１のコンタクトに所定間隔をもって前記ハウジングに保持した第２のコンタクトとを含み、基板に前記ハウジングを実装した際に該基板の回路に接続するよう前記第１のコンタクトの接続部分が前記第１の収容部内から前記ハウジングの外へ延びているソケットコネクタにおいて、前記ハウジングは、前記基板に対向する前記ハウジングの実装面と前記第２の収容部との間を開放するよう開口した開口部と、前記第１及び第２の接続対象物を挿入する挿入方向側の奥部で前記第１及び第２の収容部を閉塞している後壁部とを有し、該開口部には、前記第２のコンタクトの接続部分が位置しており、前記第１のコンタクトの前記接続部分が前記後壁部から外へ延びており、前記第２のコンタクトの前記接続部分が前記後壁部とは反対側へ延びており、前記第１の接続対象物に接触する接触部分と前記第２の接続対象物に接触する接触部分との位置関係が上下方向で向き合った位置にあり、前記第１及び第２のコンタクトは互いに逆向きになる位置関係で前記ハウジングに配設されていることを特徴とするソケットコネクタ。
【請求項２】
請求項１記載のソケットコネクタにおいて、前記第１のコンタクトは、前記ハウジングに保持した第１の保持部と、前記第１の収容部内で前記第１の接続対象物の一面に設けた前記電気接点に接触するよう前記第１の保持部の一端から前記第１の収容部内へ延びている前記接触部分としての第１の接触部と、前記第１の保持部におけるもう一方の一端から前記ハウジングの外へ延びている前記接続部分としての第１の端子部とを有し、前記第２のコンタクトは、前記ハウジングに保持した第２の保持部と、前記第２の収容部内で前記第２の接続対象物の一面に設けた前記電気接点に接触するよう前記第２の保持部の一端から前記第２の収容部内へ延びている前記接触部分としての第２の接触部と、前記第２の保持部におけるもう一方の一端から前記ハウジングの外へ延びている前記接続部分としての第２の端子部とを有し、前記第２の端子部が前記開口部から前記ハウジングの外へ延びていることを特徴とするソケットコネクタ。
【請求項３】
請求項１又は２記載のソケットコネクタにおいて、前記ハウジングは、第１の部材と、該第１の部材に所定間隔をもって平行に対向している第２の部材と、前記第１及び第２の部材に対して所定間隔をもって前記第１及び第２の部材間を仕切るように設けた第３の部材とを有し、前記第１の収容部が前記第１及び前記第３の部材間に形成されており、前記第２の収容部が前記第３及び第２の部材間によって形成されており、前記第１の収容部の一側には、前記第１の接続対象物を挿入する第１の挿入口を有し、前記第２の収容部の一側には、前記第２の接続対象物を挿入する第２の挿入口を有していることを特徴とするソケットコネクタ。
【請求項４】
請求項３記載のソケットコネクタにおいて、前記ハウジングは前記第１乃至第３の部材の一対の側面間を閉塞した一対の側壁部有し、前記後壁部は前記第１及び第２の挿入口の奥部で前記第１及び第２の収容部を共通に閉塞するように前記第１乃至第３の部材を閉塞しており、前記後壁部には前記第１の保持部が保持されていることを特徴とするソケットコネクタ。
【請求項５】
請求項３又は４記載のソケットコネクタにおいて、前記第１の部材は、前記第２の端子部と対向する部分に穿設した窓部を有し、前記第３の部材は、前記窓部に対向する部分に穿設した付加窓部を有していることを特徴とするソケットコネクタ。
【発明の詳細な説明】
【０００１】
【発明の属する技術分野】
本発明は、ハウジングを基板に実装しコンタクトの切軸部分を基板の回路に接続する表面実装タイプのソケットコネクタに属する。
【０００２】
【従来の技術】
先行技術におけるソケットコネクタは、図５に示すように、絶縁性材料によって作られている箱形状のハウジング１１１と、ハウジング１１１に保持されている導電性の第１のコンタクト１２１と、第１のコンタクト１２１に所定間隔をもってハウジング１１１に保持されている第２のコンタクト１３１を有している。
【０００３】
ハウジング１１１は、上下二段に形成されている第１の収容部１１３と第２の収容部１１４とを有している。上段の第１の収容部１１３は、ＬＳＩやＩＣカードのような第１の接続対象物１５１を挿入して収容する部分である。下段の第２の収容部１１４は、ＬＳＩやＩＣカードのような第２の接続対象物１５３を挿入して収容する部分である。
【０００４】
第１及び第２のコンタクト１２１，１３１は、ハウジング１１１を基板１６１に実装して基板１６１の回路に接続するように第１及び第２の収容部１１３，１１４内からハウジング１１１の外へ延びている。また、第１及び第２のコンタクト１２１，１３１は、図６にも示すように、複数が所定間隔をもって互いに平列にハウジング１１１に組み込まれている。
【０００５】
なお、以下の説明では、第１及び第２の収容部１１３，１１４へ第１及び第２の接続対象物１５１，１５３を挿入する方向を挿入方向Ａ（図５の矢印Ａを参照）と呼び、第１及び第２のコンタクト１２１，１３１の長手方向を直交する並列な方向をピッチ方向Ｂ（図６の矢印Ｂを参照）と呼ぶことにする。
【０００６】
第１及び第２のコンタクト１２１，１３１は、ピッチ方向Ｂで交互に配設されている。第１のコンタクト１２１は、ハウジング１１１に保持されている第１の保持部１２２と、第１の収容部１１３内で第１の接続対象物１５１における一面に設けた電気接点１５２に接触するよう第１の保持部１２２の一端から第１の収容部１５１内へ延びている第１の接触部１２３と、第１の保持部１２２におけるもう一方の一端からハウジング１１１の外へ延びている第１の端子部１２４とを有している。第１の接触部１２３には、第１の収容部１１３側へ突出するように湾曲している第１の接点部１２５が形成されている。
【０００７】
第２のコンタクト１３１は、ハウジング１１１に保持されている第２の保持部１３２と、第２の収容部１１４内で第２の接続対象物１５３における一面に設けた電気接点１５４に接触するように第２の保持部１３２の一端から第２の収容部１１４内へ延びている第２の接触部１３３と、第２の保持部１３２におけるもう一方の一端からハウジング１１１の外へ延びている第２の端子部１３４とを有している。第２の接触部１３３には、第２の収容部１１４側へ突出するように湾曲している第１の接点部１３５が形成されている。
【０００８】
さらに詳細にハウジング１１１を説明すると、ハウジング１１１は、板形状の第１の部材１１５と、第１の部材１１５に所定間隔をもって平行に対向している板形状の第２の部材１１６と、第１及び第２の部材１１５，１１６に対して所定間隔をもって第１及び第２の部材間１１５，１１６を仕切るように設けた板形状の第３の部材１１７とを有している。
【０００９】
ハウジング１１１においては、第１の収容部１１３が第１及び第３の部材１１５，１１７間に形成されており、第２の収容部１１４が第２及び第３の部材１１６，１１７間によって形成されている。第１の収容部１１３の一側には、第１の接続対象物１５１を挿入するための第１の挿入口１１３ａが形成されている。第２の収容部１１４の一側には、第２の接続対象物１５３を挿入するための第２の挿入口１１４ａが形成されている。
【００１０】
さらに、ハウジング１１１は、第１及び第２の挿入口１１３ａ，１１４ａの奥部で第１及び第２の収容部１１３，１１４を共通に閉塞するように第１乃至第３の部材１１５，１１６，１１７を閉塞した後壁部１１９と、第１乃至第３の部材１１５，１１６，１１７における一対の側面間を閉塞した一対の側壁部１２０ａ，１２０ｂとを有している。なお、一対の側壁部１２０ａ，１２０ｂは、図５において一方側の側壁部１２０ａのみを示した。他方の側壁部１２０ｂは、図７に示したハウジング１１１に図示した。
【００１１】
後壁部１１９には、第１のコンタクト１２１における第１の保持部１２２が保持され、第１の端子部１２４が後壁部１１９から外へ延びている。第１及び第２のコンタクト１２１，１３１における第１及び第２の接触部１２３，１３３の位置関係は、上下方向で向き合った位置にあり、第１及び第２のコンタクト１２１，１３１が第１及び第２の挿入口１１３ａ，１１４ａ側から後壁部１１９への挿入方向Ａで互いに向き合って配設されている。
【００１２】
第２の板部１１６には、後壁部１１９の内面における近傍から第１及び第２の挿入口１１３ａ，１１４ａへの方向（挿入方向Ａとは逆方向）へ長い寸法で第２の長孔１１６ｂが形成されている。第２の長孔１１６ｂには、第２のコンタクト１３１における第２の保持部１３２から延びている第２の接触部１３３が位置している。なお、第２の接点部１３５は、第２の収容部１１４内へ突出しており、第２の収容部１１４へ挿入されて収容される第２の接続対象物１５３の電気接点１５４に接触したときに、この電気接点１５４に押下されて撓みながら弾性力をもって接触する。
【００１３】
第３の板部１１７には、後壁部１１９の内面から第１及び第２の挿入口１１３ａ，１１４ａへの方向（挿入方向Ａとは逆方向）へ長い寸法で第３の長孔１１７ｂが形成されている。第３の長孔１１７ｂには、第１のコンタクト１２１における第１の保持部１２２から延びている第１の接触部１２３が位置している。なお、第１の接点部１２５は、第１の収容部１１３内へ突出しており、第１の収容部１１３へ挿入されて収容される第１の接続対象物１５１の電気接点１５２に接触したときに、この電気接点１５２に押下されて撓みながら弾性力をもって接触する。
【００１４】
ソケットコネクタは、図５に示したような基板１６１に実装される。この際、ハウジング１１１における第２の部材１１６の外面である実装面１１１ａが基板１６１に対向するようにして実装される。そして、基板１６１の回路に第１の端子部１２４と第２の端子部１３４を位置合わせして載せる。その後、第１及び第２の端子部３１４と基板１６１の回路とを半田によって接続する。
【００１５】
【発明が解決しようとする課題】
しかしながら、先行技術におけるソケットコネクタでは、第１及び第２の端子部１２４，１３４がピッチ方向Ｂで互いに狭いピッチ間隔をもって位置しているので、半田が隣接する第１及び第２の端子部１２４，１３４間へ半田が流れて繋がる、いわゆる半田ブリッジが発生するという問題がある。
【００１６】
また、第１及び第２の端子部１２４，１３４は、これらがピッチ方向Ｂで互いに狭いピッチ間隔をもって位置しているので、基板１６１が応力によって変形するあおり（反り）によって基板１６１との接続強度が低下してしまうという問題がある。
【００１７】
さらに、ソケットコネクタは、全体として軽量化することが臨まれているが、現状では軽量化できないという問題がある。
【００１８】
それ故に、本発明の課題は、端子部のピッチを狭めずにすみ、半田ブリッジなどの発生を防ぐことができるソケットコネクタを提供することにある。
【００１９】
また、本発明の課題は、あおりに対する基板との接続強度を向上することができるソケットコネクタを提供することにある。
【００２０】
本発明のさらに他の課題は、端子部の半田付け接続状態を見ることができ、視認性を向上するとともに、半田付けの実装が容易になるソケットコネクタを提供することにある。
【００２１】
さらにまた、本発明の課題は、軽量化を図ることができるソケットコネクタを提供することにある。
【００２２】
【課題を解決するための手段】
本発明によれば、第１の接続対象物を挿入して収容する第１の収容部及び第２の接続対象物を挿入して収容する第２の収容部とを上下二段に形成した絶縁性のハウジングと、前記第１の接続対象物の電気接点に接触させるよう該ハウジングに保持した導電性の第１のコンタクトと、前記第２の接続対象物の電気接点に接触させるよう該第１のコンタクトに所定間隔をもって前記ハウジングに保持した第２のコンタクトとを含み、基板に前記ハウジングを実装した際に該基板の回路に接続するよう前記第１のコンタクトの接続部分が前記第１の収容部内から前記ハウジングの外へ延びているソケットコネクタにおいて、前記ハウジングは、前記基板に対向する前記ハウジングの実装面と前記第２の収容部との間を開放するよう開口した開口部と、前記第１及び第２の接続対象物を挿入する挿入方向側の奥部で前記第１及び第２の収容部を閉塞している後壁部とを有し、該開口部には、前記第２のコンタクトの接続部分が位置しており、前記第１のコンタクトの前記接続部分が前記後壁部から外へ延びており、前記第２のコンタクトの前記接続部分が前記後壁部とは反対側へ延びており、前記第１の接続対象物に接触する接触部分と前記第２の接続対象物に接触する接触部分との位置関係が上下方向で向き合った位置にあり、前記第１及び第２のコンタクトは互いに逆向きになる位置関係で前記ハウジングに配設されていることを特徴とするソケットコネクタが得られる。
【００２３】
【作用】
本発明のソケットコネクタは基板に実装される。この際、ハウジングにおける第２の部材の外面である実装面が基板に対向するようにして実装される。そして、基板の回路上に第１の端子部と第２の端子部を位置合わせして載せる。この際、ハウジング（第１及び第３の部材）には、窓部及び付加窓部が形成されているので、ハウジング（第１の部材）の外側から窓部及び付加窓部を覗き込み、開口部に位置している第２の端子部と基板の回路とが正確に位置していることを視認することができる。その後、第１及び第２の端子部と基板の回路とを半田によって接続する。
【００２４】
第１及び第２の端子部と基板の回路とを半田によって接続した後、第２の端子部と基板の回路とが確実に接続されているか否かについても、ハウジング（第１の部材）の外側から窓部及び付加窓部を覗き込むことによって視認することができる。
【００２５】
ピッチ方向の間隔を狭めることなく、位置させることができる。よって、第１及び第２の端子部は、挿入方向で分散し、ピッチ方向で互いに大きく離れたピッチ間隔をもって位置しているので、半田が隣接する第１の端子部間、もしくは第２の端子部間へ流れて繋がる、いわゆる半田ブリッジの発生が防止される。
【００２６】
さらに、第１及び第２の端子部を分散して離れた位置に配置したことによって、基板のあおり（反り）に対する基板との接続強度が向上する。
【００２７】
さらにまた、ハウジングには、窓部及び付加窓部を形成したので、第１及び第２の端子部の上方における部位を除き半田付けの際に視認性を向上するとともに軽量化を図ることができる。
【００２８】
【発明の実施の形態】
以下に、本発明に係るソケットコネクタにおける第１の実施の形態例を説明する。図１は、本発明に係るソケットコネクタにおける第１の実施の形態例を示している。図２は、図１に示したソケットコネクタにおけるコンタクトを図１の上面から見た配置を示している。
【００２９】
図１及び図２を参照して、一実施の形態例におけるソケットコネクタは、絶縁性材料によって作られている箱形状のハウジング１１と、ハウジング１１に保持されている導電性の第１のコンタクト２１と、第１のコンタクト２１に所定間隔をもってハウジング１１に保持されている第２のコンタクト３１を有している。
【００３０】
ハウジング１１は、上下二段に形成されている第１の収容部１３と第２の収容部１４とを有している。上段の第１の収容部１３は、ＬＳＩやＩＣカードのような第１の接続対象物５１を挿入して収容する部分である。下段の第２の収容部１４は、ＬＳＩやＩＣカードのような第２の接続対象物５３を挿入して収容する部分である。
【００３１】
第１及び第２のコンタクト２１，３１は、ハウジング１１を基板６１に実装して基板６１の回路に接続するように第１及び第２の収容部１３，１４内からハウジング１１の外へ延びている。また、第１及び第２のコンタクト２１，３１は、図２に示すように、複数が所定間隔をもって互いに平列にハウジング１１に組み込まれている。
【００３２】
なお、以下の説明では、第１及び第２の収容部１３，１４へ第１及び第２の接続対象物５１，５３を挿入する方向を挿入方向Ａ（図１の矢印Ａを参照）と呼び、第１及び第２のコンタクト２１，３１の長手方向を直交する並列な方向をピッチ方向Ｂ（図１の矢印Ｂを参照）と呼ぶことにする。
【００３３】
第１及び第２のコンタクト２１，３１は、ピッチ方向Ｂで交互に配設されている。第１のコンタクト２１は、ハウジング１１に保持されている第１の保持部２２と、第１の収容部１３内で第１の接続対象物５１における一面に設けた電気接点５２に接触するよう第１の保持部２２の一端から第１の収容部５１内へ延びている接触部分としての第１の接触部２３と、第１の保持部２２におけるもう一方の一端からハウジング１１の外へ延びている接続部分としての第１の端子部２４とを有している。第１の接触部２３には、第１の収容部１３側へ突出するように湾曲している第１の接点部２５が形成されている。
【００３４】
第２のコンタクト３１は、ハウジング１１に保持されている第２の保持部３２と、第２の収容部１４内で第２の接続対象物５３における一面に設けた電気接点５４に接触するように第２の保持部３２の一端から第２の収容部１４内へ延びている接触部分としての第２の接触部３３と、第２の保持部３２におけるもう一方の一端からハウジング１１の外へ延びている接続部分としての第２の端子部３４とを有している。第２の接触部３３には、第２の収容部１４側へ突出するように湾曲している第１の接点部３５が形成されている。
【００３５】
さらに詳細にハウジング１１を説明すると、ハウジング１１は、板形状の第１の部材１５と、第１の部材１５に所定間隔をもって平行に対向している板形状の第２の部材１６と、第１及び第２の部材１５，１６に対して所定間隔をもって第１及び第２の部材間１５，１６を仕切るように設けた板形状の第３の部材１７とを有している。
【００３６】
第２の部材１６には、第２の端子部３４を外へ臨ませるよう基板６１に対向するハウジング１１の実装面１１ａ及び第２の収容部１４間を開放するよう開口した開口部１８が形成されている。第２の端子部３４は、開口部１８からハウジング１１の外へ延びている。開口部１８は、基板６１に対向するハウジング１１の実装面１１ａのエリア内に位置している。
【００３７】
すなわち、ハウジング１１においては、第１の収容部１３が第１及び第３の部材１５，１７間に形成されており、第２の収容部１４が第２及び第３の部材１６，１７間によって形成されている。第１の収容部１３の一側には、第１の接続対象物５１を挿入する第１の挿入口１３ａが形成されている。第２の収容部１４の一側には、第２の接続対象物５３を挿入する第２の挿入口１４ａが形成されている。
【００３８】
第１の部材１５には、上下方向で第２の端子部３４と対向する部分を穿設した窓部１５ａが形成されている。第３の部材１７には、窓部１５ａを通して第２の端子部３４の位置を視認できるように窓部１５ａに対向する部分、すなわち第２の端子部３４を視認できる位置に穿設した付加窓部１７ａが形成されている。
【００３９】
さらに、ハウジング１１は、第１及び第２の接続対象物５１，５３を挿入する第１及び第２の挿入口１３ａ，１４ａの挿入方向Ａ側の奥部で第１及び第２の収容部１３，１４を共通に閉塞するように第１乃至第３の部材１５，１６，１７を閉塞した後壁部１９と、第１乃至第３の部材１５，１６，１７における一対の側面間を閉塞した一対の側壁部２０ａ，２０ｂとを有している。なお、一対の側壁部２０ａ，２０ｂは、図１において一方側の側壁部２０ａのみを示した。他方の側壁部２０ｂは、後述する図３におけるハウジング１１に図示した。
【００４０】
後壁部１９には、第１のコンタクト２１における第１の保持部２２が保持され、第１の端子部２４が後壁部１９から外へ延びている。第１及び第２のコンタクト２１，３１における第１及び第２の接触部２３，３３の位置関係は、上下方向で向き合った位置にあり、第１及び第２のコンタクト２１，３１が第１及び第２の挿入口１３ａ，１４ａ側から後壁部１９への挿入方向Ａで互いに逆向きになる位置関係でハウジング１１に配設されている。
【００４１】
第２の板部１６には、後壁部１９の内面における近傍から第１及び第２の挿入口１３ａ，１４ａへの方向（挿入方向Ａとは逆方向）へ長い寸法で第２の長孔１６ｂが形成されている。第２の長孔１６ｂには、第２のコンタクト３１における第２の保持部３２から延びている第２の接触部３３が位置している。
【００４２】
なお、第２の接点部３５は、第２の収容部１４内へ突出しており、第２の収容部１４へ挿入されて収容される第２の接続対象物５３の電気接点５４に接触したときに、この電気接点５４に押下されて撓みながら弾性力をもって接触する。
【００４３】
第３の板部１７には、後壁部１９の内面から第１及び第２の挿入口１３ａ，１４ａへの方向（挿入方向Ａとは逆方向）へ長い寸法で第３の長孔１７ｂが形成されている。第３の長孔１７ｂには、第１のコンタクト２１における第１の保持部２２から延びている第１の接触部２３が位置している。第１の接点部２５は、第１の収容部１３内へ突出しており、第１の収容部１３へ挿入されて収容される第１の接続対象物５１の電気接点５２に接触したときに、この電気接点５２に押下されて撓みながら弾性力をもって接触する。
【００４４】
なお、第２及び第３の長孔１６ｂ，１７ｂは、これらに代えて第１及び第３の部材１６，１７に第１及び第２の収容部１３，１４側から逃げ溝を形成して、第１及び第２の収容部１３，１４へ挿入されて収容される第１及び第２の接続対象物５１，５３の電気接点５２，５３に接触したときに、この電気接点５２，５３に押下されて撓みを逃がすように形成してもよい。
【００４５】
図３は、本発明に係るソケットコネクタにおけるハウジングと接続対象物とをコンタクトを除いた形態で示した第２の実施の形態例である。図４は、図３に示したハウジングにコンタクトを設けたハウジングを鏡写しにした状態で示した裏面図である。
【００４６】
図３及び図４における第２の実施の形態例は、第１の実施の形態例によって示した第１のコンタクト２１における第１の接触部２３を位置させる第２の長孔１６ｂと、第２のコンタクト３１における第２の接触部３３を位置させる第３の長孔１７ｂとを穿設しない形状、もしくは第３の長孔１７ｂのみを穿設していない形状としたハウジング１１である。
【００４７】
したがって、以下の説明では、同じ部分には同じ符号を付して説明を省略する。図３及び図４を参照して、第２の実施の形態例によるソケットコネクタおいて、第１の部材１５には、上下方向で第２の端子部３４と対向する部分を穿設した窓部１５′ａが形成されている。第３の部材１７には、窓部１５′ａを通して第２の端子部３４の位置を視認できるように窓部１５′ａに対向する部分を穿設した付加窓部１７′ａが形成されている。
【００４８】
さらに、第２の部材１６には、第２の端子部３４を外へ臨ませるよう基板６１に対向するハウジング１１の実装面１１ａ及び第２の収容部１４間を開放するよう開口した開口部１８′が形成されている。第２の端子部３４は、開口部１８′からハウジング１１の外へ延びている。
【００４９】
なお、第１のコンタクト２１における図示していない第１の保持部２２は、第３の部材１７の一部に保持し、第１の接触部２３を第３の部材１７面に対向させて設けるか、図１に示したように、第３の長孔１７ｂに設けるようにする。また、第２のコンタクト３１における図示していない第２の保持部３２は、第２の部材１６の一部に保持し、第２の接触部３３を第２の部材１６面に対向させて設けるようにする。
【００５０】
したがって、第２の実施の形態例におけるソケットコネクタでは、第２の長孔１６ｂ及び第３の長孔１７ｂがない形状か、第２の長孔１６ｂのみがない形状とすることができるので、第１の実施の形態例における窓部１５ａや付加窓部１７ａよりも、さらに大きな窓部１５′ａや付加窓部１７′ａを形成でき、また、開口部１８′は、第１の実施の形態例における開口部１８よりも、さらに大きく開口とすることができる。
【００５１】
第１及び第２の実施の形態例によって説明したソケットコネクタは、いずれも図１に示したような基板６１に実装される。ハウジング１１における第２の部材１６の外面である実装面１１ａが基板に対向するようにして実装される。そして、基板６１の回路上に第１の端子部２４と第２の端子部３４を位置合わせして載せる。この際、第１及び第３の部材１５，１７には、窓部１５ａ，１５′ａ及び付加窓部１７ａ，１７′ａが形成されているので、第１の部材１５の外側から窓部１５ａ，１５′ａ及び付加窓部１７ａ，１７′ａを覗き込み、開口部１８，１８′に位置している第２の端子部３４と基板６１の回路とが正確に位置していることを視認することができる。その後、第１及び第２の端子部３４と基板６１の回路とを半田によって接続する。
【００５２】
なお、第１及び第２の端子部２４，３４と基板６１の回路とを半田によって接続した後、第２の端子部３４と基板６１の回路とが確実に接続されているか否かについても、第１の部材１５の外側から窓部１５ａ，１５′ａ及び付加窓部１７ａ，１７′ａを覗き込むことによって視認することができる。
【００５３】
また、第１及び第２の端子部２４，３４は、図２に示したように、挿入方向Ａで分散し、ピッチ方向Ｂで互いに大きく離れたピッチ間隔をもって位置しているので、半田が隣接する第１の端子部２４間、もしくは第２の端子部３４間へ流れて繋がる、いわゆる半田ブリッジの発生を防ぐ構成となる。
【００５４】
さらに、先行技術と同じ大きさの形状としたハウジング１１１を採用して第１及び第２のコンタクト２１，３１をさらに増加して高密度に実装する場合には、第１及び第２の端子部２４，３４は、図２に示したように、挿入方向Ａで分散しているので、先行技術における第１及び第２のコンタクト２１，３１のピッチ方向Ｂにおけるピッチ間隔よりもさらに狭いピッチ間隔で第１及び第２のコンタクト２１，３１を狭めて配置することも可能である。
【００５５】
【発明の効果】
以上、実施の形態例によって説明したように、本発明のソケットコネクタによれば、第１及び第２の端子部におけるピッチ方向の間隔を狭めることなく、第１及び第２の端子部を挿入方向で分散し、ピッチ方向で互いに大きく離れたピッチ間隔をもって位置しているので、半田が隣接する第１の端子部間、もしくは第２の端子部間へ流れて繋がる、いわゆる半田ブリッジの発生が防止できる。
【００５６】
また、第１及び第２の端子部を分散して離れた位置に配置したことによって、あおりに対する基板との接続強度が向上することができる。
【００５７】
また、本発明のソケットコネクタによれば、ハウジング（第１及び第３の部材）に第１及び第２の窓部が形成されているので、ハウジング（第１の部材）の外側から窓部及び付加窓部を覗き込み、開口部に位置している第２の端子部と基板の回路とが正確に位置していることを視認することができる。
【００５８】
また、第１及び第２の端子部と基板の回路とを半田によって接続した後、第２の端子部と基板の回路とが確実に接続されているか否かについても、ハウジング（第１の部材）の外側から窓部及び付加窓部を覗き込むことによって視認することができるので、視認性に優れたソケットコネクタが得られる。
【００５９】
さらに、ハウジングには、窓部及び付加窓部を形成したので、その分ハウジングが軽量化されるので、全体として軽量化を図ることができる。
【図面の簡単な説明】
【図１】本発明に係るソケットコネクタにおける第１の実施の形態例を示す断面図である。
【図２】図１に示したソケットコネクタにおけるコンタクトの配置を示した平面図である。
【図３】本発明に係るソケットコネクタにおける第２の実施の形態例であり、ハウジングと接続対象物とを示した斜視図である。
【図４】図３に示したソケットコネクタを鏡写しにした状態を示した裏面図である。
【図５】先行技術におけるソケットコネクタを示す断面図である。
【図６】図５に示したソケットコネクタにおけるコンタクトの配置を示した平面図である。
【図７】図５に示したソケットコネクタのハウジング及び接続対象物を示した斜視図である。
【符号の説明】
１１，１１１    ハウジング
１１ａ，１１１ａ    実装面
１３，１１３    第１の収容部
１３ａ，１１３ａ    第１の挿入口
１４，１１４    第２の収容部
１４ａ，１１４ａ    第２の挿入口
１５，１１５    第１の部材
１５ａ，１５′ａ    窓部
１６，１１６    第２の部材
１７，１１７    第３の部材
１７ａ，１７′ａ    付加窓部
１８，１８′    開口部
２１，１２１    第１のコンタクト
２２，１２２    第１の保持部
２３，１２３    第１の接触部
２４，１２４    第１の端子部
２５，１２５    第１の接点部
３１，１３１    第２のコンタクト
３２，１３２    第２の保持部
３３，１３３    第２の接触部
３４，１３４    第２の端子部
３５，１３５    第１の接点部
５１，１５１    第１の接続対象物
５２，５４，１５２，１５４    電気接点
５３，１５３    第２の接続対象物
６１，１６１    基板
【図１】
0003718799.tif 000002
【図２】
0003718799.tif 000003
【図３】
0003718799.tif 000004
【図４】
0003718799.tif 000005
【図５】
0003718799.tif 000006
【図６】
0003718799.tif 000007
【図７】
0003718799.tif 000008